(57)【特許請求の範囲】
【請求項１】
複数種類の商品がそれぞれに陳列される複数の商品陳列部を有するショーケースと、前記商品陳列部の前方側に近接する被検出体を検出する検出手段と、前記検出手段による検出結果を表示する検出結果表示手段と、前記複数の商品陳列部に対応してそれぞれ設けられた複数の陳列部表示手段と、前記検出結果表示手段及び前記陳列部表示手段を制御する制御手段と、を備え、前記制御手段は、前記検出手段により前記複数の商品陳列部の内、いずれの商品陳列部に前記被検出体が近接したかを検出し、該検出結果を前記検出結果表示手段に表示させるとともに、前記検出手段による検出結果と対応する陳列部表示手段を作動させることを特徴とする販売システム。
【請求項２】
前記複数の商品陳列部の前部には、該商品陳列部に陳列される商品の情報を表示する商品情報表示部がそれぞれ設けられ、該各商品情報表示部に前記陳列部表示手段が設けられていることを特徴とする請求項１に記載の販売システム。
【請求項３】
前記複数の商品陳列部の前部には、該商品陳列部に陳列される商品の情報を表示する商品情報表示部がそれぞれ設けられ、該各商品情報表示部に前記検出手段が設けられていることを特徴とする請求項１または２に記載の販売システム。
【請求項４】
前記複数の商品陳列部の前方側が透過性を有する仕切板により仕切られており、前記検出手段が前記仕切板に接触した前記被検出体を検出するようになっていることを特徴とする請求項１ないし３のいずれかに記載の販売システム。
【請求項５】
前記検出結果表示手段は、前記ショーケースの正面側及び背面側の少なくとも２箇所に設けられていることを特徴とする請求項１ないし４のいずれかに記載の販売システム。
【発明の詳細な説明】
【技術分野】
【０００１】
本発明は、店員が客と対面してショーケースに陳列された商品の販売を行う対面式の販売システムに関する。
【背景技術】
【０００２】
従来、対面式の販売システムには、客から注文を受けた店員が、ショーケース内に陳列された各商品のトレー（商品陳列部）の前部に設けられた電子棚札のタッチセンサに触れることで、電子棚札から無線を介してサーバーに送信された商品番号に基づいて、対面式電子秤が商品データをサーバーから得られるようになっており、秤皿上の商品の重量と商品データから入手した商品単価に基づいて、販売価格を電子秤に表示する対面式販売データ処理システムがある（例えば、特許文献１参照）。
【０００３】
【特許文献１】特開２００４−２０６１９７号公報（第４，５頁、第１図）
【発明の開示】
【発明が解決しようとする課題】
【０００４】
しかしながら、特許文献１に記載の対面式販売データ処理システムにあっては、客は希望する商品の名称を店員に伝える必要があり、商品名が多種多様で似た名称が多くある場合や、店内の雑音によって客の発言が聞き取り難いように場合などには、客が直接商品を指差して注文するようなことがある。そのため店員は、客が指差した商品を確認するために、ショーケースの中を覗き込んだり、ショーケースから身を乗り出して前方から商品を確認したりする必要があり、これらの確認作業が店員の負担になるという問題がある。
【０００５】
本発明は、このような問題点に着目してなされたもので、客が直接商品を指差して注文した際に、店員が客の注文を容易に確認できるようにして店員の負担を軽減することができる販売システムを提供することを目的とする。
【課題を解決するための手段】
【０００６】
前記課題を解決するために、本発明の請求項１に記載の販売システムは、
複数種類の商品がそれぞれに陳列される複数の商品陳列部を有するショーケースと、前記商品陳列部の前方側に近接する被検出体を検出する検出手段と、前記検出手段による検出結果を表示する検出結果表示手段と、前記複数の商品陳列部に対応してそれぞれ設けられた複数の陳列部表示手段と、前記検出結果表示手段及び前記陳列部表示手段を制御する制御手段と、を備え、前記制御手段は、前記検出手段により前記複数の商品陳列部の内、いずれの商品陳列部に前記被検出体が近接したかを検出し、該検出結果を前記検出結果表示手段に表示させるとともに、前記検出手段による検出結果と対応する陳列部表示手段を作動させることを特徴としている。
この特徴によれば、客がショーケースの商品陳列部に陳列される商品を手指で指示した際に、検出手段により客の手指を検出することができ、その検出結果が表示された検出結果表示手段及び陳列部表示手段を店員と客が確認することで、店員は客がいずれの商品を指示しているのかを把握することができるとともに客自身もいずれの商品を指示したかを把握できる。
【０００９】
本発明の請求項２に記載の販売システムは、請求項１に記載の販売システムであって、
前記複数の商品陳列部の前部には、該商品陳列部に陳列される商品の情報を表示する商品情報表示部がそれぞれ設けられ、該各商品情報表示部に前記陳列部表示手段が設けられていることを特徴としている。
この特徴によれば、商品情報表示部は、各商品陳列部に対応して設けられているため、客が指示した商品陳列部の確認を陳列部表示手段により行い易くなる。
【００１０】
本発明の請求項３に記載の販売システムは、請求項１または２に記載の販売システムであって、
前記複数の商品陳列部の前部には、該商品陳列部に陳列される商品の情報を表示する商品情報表示部がそれぞれ設けられ、該各商品情報表示部に前記検出手段が設けられていることを特徴としている。
この特徴によれば、客は主に商品情報表示部を指差すため、検出手段を商品情報表示部に設けることで、検出手段が客の手指を検出し易くなる。
【００１１】
本発明の請求項４に記載の販売システムは、請求項１ないし３のいずれかに記載の販売システムであって、
前記複数の商品陳列部の前方側が透過性を有する仕切板により仕切られており、前記検出手段が前記仕切板に接触した前記被検出体を検出するようになっていることを特徴としている。
この特徴によれば、検出手段が客の手指の検出を確実に行えるようになり、かつ仕切板により客の手指が直接商品に触れないように商品を保護することができる。
【００１２】
本発明の請求項５に記載の販売システムは、請求項１ないし４のいずれかに記載の販売システムであって、
前記検出結果表示手段は、前記ショーケースの正面側及び背面側の少なくとも２箇所に設けられていることを特徴としている。
この特徴によれば、ショーケースの正面側に居る客と背面側にいる店員とが、互いに指示された商品の確認を行い易くなる。
【発明を実施するための最良の形態】
【００１３】
本発明に係る販売システムを実施するための最良の形態を実施例に基づいて以下に説明する。
【実施例１】
【００１４】
本発明の実施例１を図面に基づいて説明すると、先ず図１は、本発明の実施例１におけるショーケースの全体像を示す斜視図であり、図２は、ショーケースの内部構造を示す縦断側面図であり、図３は、値札を示す正面図であり、図４は、ショーケースの構成を示すブロック図であり、図５は、ショーケースで行うＬＥＤランプ及び液晶モニタの区画の点灯処理を示すフローチャートであり、図６は、液晶モニタの表示画面を示す正面図である。以下、図２の紙面左側をショーケースの正面側（前方側）として説明する。
【００１５】
図１の符号１は、本実施例における販売システムとしてのショーケース１である。このショーケース１は、主にショーケース本体２と操作端末３により構成されている。このショーケース本体２は、主にスーパーマーケットやデパート等の食品等を取り扱う販売店舗に設置され、商品４を低温に保ったまま保冷、または冷凍した状態で陳列するために設置される冷蔵ショーケースである。
【００１６】
図２に示すように、ショーケース本体２は、客Ｃがショーケース本体２内の商品４を店員Ｖに希望し、店員Ｖが希望された商品４をショーケース本体２内から取り出して客Ｃに販売する対面式販売に使用される。また、操作端末３は、ショーケース本体２の上部に載置されており、客Ｃが店員Ｖに希望した商品４の商品名を表示して確認を促すために使用される。以下、ショーケース本体２の客Ｃ側をショーケース本体２の正面側とし、ショーケース本体２の店員Ｖ側をショーケース本体２の背面側とする。
【００１７】
図１及び図２に示すように、ショーケース本体２は、正面側と背面側が開口した筐体５と、この筐体５の下部に一体的に設けられて筐体５内に冷気を循環させる冷却部６と、を有している。これら筐体５と冷却部６の外面は、発泡ウレタン樹脂材等からなる断熱部材と、この断熱部材を覆うスチール金属等の表面板と、を有している。
【００１８】
図２に示すように、冷却部６には、空気を冷却して冷気を生成する冷却装置７と、冷却装置７で生成された冷気を筐体５の内部である冷蔵室１０内に送る送風機８と、が設けられている。筐体５と冷却部６は、筐体５の底板９の前後に設けられた図示しない通風孔によって連通されており、送風機８が一方の通風孔を介して冷蔵室１０内に冷気を送ることができるようになっている。そして、冷蔵室１０内の冷気は送風機８によって、もう一方の通風孔より冷却部６に吸い込まれるようになっており、再び冷却装置７によって新しい冷気になる。
【００１９】
また、図１及び図２に示すように、正面側と背面側を開口した筐体５により囲まれた冷蔵室１０内の左右端部には、金属製の係止板１１，１１が正面側に向けて設けられている。これら係止板１１，１１上には、棚板１２が設置されている。この棚板１２には、本実施例における商品４としての食肉が、本実施例における商品陳列部としてのトレー１３に載置されて複数陳列できるようになっている。尚、それぞれのトレー１３には、豚肉や牛肉等の商品４が各一種類ずつ載置されている。
【００２０】
更に、筐体５は棚板１２の下部に設けられた底板９にも商品４を載置したトレー１３が陳列可能になっている。そして、棚板１２の先端部の下面及び筐体５の天板１４の下面には、棚板１２もしくは底板９に陳列された商品４を照らすための蛍光灯等の照明装置１５が設けられている。
【００２１】
尚、各商品４の載置されたトレー１３の前方である棚板１２及び底板９の前端部には、各商品４の商品名や値段等が記載された本実施例における商品情報表示部としての値札１６が正面側を向くように取り付けられている（図３参照）。
【００２２】
また、筐体５の正面側には、天板１４の前端部から筐体５の前端下部にかけて仕切板１７が取り付けられている。この仕切板１７は、ガラス材や透過性を有する樹脂材等で構成されており、この仕切板１７によって筐体５の正面側の開口が仕切られている。そのため客Ｃは、仕切板１７を通して冷蔵室１０内の各商品４のトレー１３を選択できるようになっている。更に、筐体５の背面側の開口は、左右方向にスライド移動可能な取出扉１８によって開閉自在に閉塞されており、冷蔵室１０内の冷気が外部に逃げないようになっている。
【００２３】
次に、ショーケース１の構成を説明する。図４に示すように、ショーケース１は、本実施例における被検出体としての客Ｃの指を検出するための本実施例における検出手段としての近接センサ１９と、本実施例における陳列部表示手段としてのＬＥＤランプ２０と、を有している。尚、近接センサ１９及びＬＥＤランプ２０は、図３に示すように、棚板１２及び底板９の各値札１６の側端部に取り付けられており、それぞれ操作端末３に接続されている。
【００２４】
図４に示すように、操作端末３は、客Ｃが店員Ｖに希望した商品４を表示する本実施例における検出結果表示手段としての液晶モニタ２１，２２を有しており、各液晶モニタ２１，２２が客Ｃ側（正面側）と店員Ｖ側（背面側）とに設置されている（図２参照）。また、店員Ｖ側の液晶モニタ２２には、本実施例における操作手段としてのタッチパネル２３が設けられている。更に、操作端末３は、近接センサ１９とＬＥＤランプ２０と液晶モニタ２１，２２とタッチパネル２３とを制御するための本実施例における制御手段としての制御回路２４を有している。
【００２５】
前述したように、操作端末３に設けられた液晶モニタ２１，２２は、それぞれショーケース本体２の客Ｃ側（正面側）と、店員Ｖ側（背面側）に表示画面２５を向けて配置されている。また、図６に示すように、客Ｃ側の液晶モニタ２１の表示画面２５は、冷蔵室１０内の商品４の陳列と同一の配置で商品４の商品名が表示されている。
【００２６】
尚、特に図示はしないが、店員Ｖ側の液晶モニタ２２の表示画面２５は、液晶モニタ２１の表示画面２５と左右逆の配置で商品４の商品名が表示されている。そのため店員Ｖが取出扉１８を開放して冷蔵室１０を覗いた際の商品４の配置と、液晶モニタ２２の表示画面２５に表示される商品４の商品名の配置とが同じになっている。
【００２７】
更に、液晶モニタ２１，２２の表示画面２５は、各商品４の商品名毎の区画２５ａに区切られており、特定の商品４の商品名の区画２５ａを選択して点灯（表示色の変更）させることができるようになっている。
【００２８】
尚、前述したように、液晶モニタ２２の表示画面２５には、店員Ｖが触れることで操作可能なタッチパネル２３が取り付けられている。このタッチパネル２３は無色透明であり、液晶モニタ２２と同様の区画に区切られている。そして、後述するように、タッチパネル２３の各区画を店員Ｖが押圧すると、該当する商品４の値札１６に取り付けられているＬＥＤランプ２０が点灯するようになっている。
【００２９】
図３に示すように、各商品４の値札１６に取り付けられた近接センサ１９は、近接センサ１９から指向性の高い光線（赤外線）を投射し、その反射光により人体や物体などの被検出体までの距離を測定し、予め決められた所定の判定距離内に被検出体が存在するか否かを検出できるモーションセンサとなっている。
【００３０】
本実施例では、近接センサ１９は正面側に向けられており、判定距離を仕切板１７の正面側近傍に限定している。つまり、近接センサ１９は、値札１６の正面かつ仕切板１７の近傍に近づく客Ｃの手指を検出するようになっている。また、値札１６の正面における近接センサ１９の上方には、ＬＥＤランプ２０が客Ｃから視認できるように取り付けられている（図６参照）。
【００３１】
尚、近接センサ１９が客Ｃの手指などの被検出体を検出すると、制御回路２４を介して接続された液晶モニタ２１，２２における被検出体を検出した近接センサ１９が配置されたトレー１３の商品４の商品名に対応した区画２５ａが点灯されるようになっている。
【００３２】
次に、前述したショーケース１において、制御回路２４が実行するＬＥＤランプ２０及び液晶モニタ２１，２２の区画２５ａの点灯処理について、図６を参照して説明する。
【００３３】
先ず、図２及び図５に示すように、Ｓａ０１のステップにおいて、制御回路２４は、各値札１６に取り付けられた近接センサ１９のいずれかで、客Ｃの指が検出されたか否かを判定する。具体的には、客Ｃの指が近接センサ１９の検出範囲である仕切板１７の正面側に近接したか否かを判定する。そして、近接センサ１９で客Ｃの指が検出されればＳａ０２のステップに進み、いずれの近接センサ１９でも客Ｃの指が検出されなければＳａ０３のステップに進む。
【００３４】
Ｓａ０２のステップにおいて、制御回路２４は、Ｓａ０１での客Ｃの指が検出されたことを検出結果として液晶モニタ２１，２２に表示するために、液晶モニタ２１，２２において客Ｃの指を検出した近接センサ１９に対応する商品４の商品名が表示された区画２５ａを点灯（表示色の変更）させる。尚、このとき点灯された液晶モニタ２１，２２の区画２５ａは、所定時間が経過すると自動的に消灯（表示色の変更）するようになっている。この消灯時間は適宜設定可能であるが、本実施例においては、例えば、２〜３秒に設定している。
【００３５】
Ｓａ０３のステップにおいて、制御回路２４は、店員Ｖによって液晶モニタ２２の表示画面２５に取り付けられたタッチパネル２３が操作されたか否かを判定する。尚、ここで言う操作とは、店員Ｖがタッチパネル２３の所定の区画２５ａを押圧することである。液晶モニタ２２の表示画面２５に取り付けられたタッチパネル２３が操作されていればＳａ０４のステップに進み、液晶モニタ２２の表示画面２５に取り付けられたタッチパネル２３が操作されていなければ処理を終了し、Ｓａ０１のステップに戻る。
【００３６】
Ｓａ０４のステップにおいて、制御回路２４は、Ｓａ０３のステップにおいて、タッチパネル２３の操作された区画２５ａに対応する商品４の値札１６に取り付けられたＬＥＤランプ２０を点灯させて処理を終了し、Ｓａ０１のステップに戻る。尚、ＬＥＤランプ２０は、前述した液晶モニタ２１，２２の区画２５ａと同様に、所定時間が経過すると自動的に消灯するようになっている。
【００３７】
このとき店員Ｖは、値札１６に取り付けられているＬＥＤランプ２０を点灯させることで、ＬＥＤランプ２０が点灯された値札１６の商品４のトレー１３が、客Ｃの希望する商品４のトレー１３と誤りがないか確認する。そして、客Ｃの希望する商品４のトレー１３であれば、店員Ｖは取出扉１８をスライド移動させることで冷蔵室１０から商品４のトレー１３を取り出し、客Ｃに対して商品４の販売を行う。尚、客Ｃの希望する商品４のトレー１３ではない場合には、客Ｃがその旨を店員Ｖに伝え、さらに店員Ｖは、タッチパネル２３における他の区画２５ａを押圧操作することで、他のＬＥＤランプ２０を点灯させて客Ｃに確認を求めることができる。
【００３８】
以上、本実施例における販売システムとしてのショーケース１では、複数種類の商品４がそれぞれに陳列される複数のトレー１３を有するショーケース１と、トレー１３の前方側に近接する客Ｃの指を検出する近接センサ１９と、近接センサ１９による検出結果に基づいて、複数のトレー１３の内、いずれのトレー１３に客Ｃの指が近接されたかを表示する液晶モニタ２１，２２と、を備えることで、客Ｃがショーケース１のトレー１３に陳列される商品４を指で指示した際に、近接センサ１９により客Ｃの指を検出することができ、その検出結果が表示された液晶モニタ２２を店員Ｖが確認することで、店員Ｖは客Ｃがいずれの商品４を指示しているのかを把握することができる。
【００３９】
また、複数のトレー１３に対応して設けられたＬＥＤランプ２０と、液晶モニタ２１，２２による表示結果に基づいて、客Ｃの指が近接されたトレー１３に対応したＬＥＤランプ２０を手動により作動させるためのタッチパネル２３と、をさらに備えることで、店員Ｖがタッチパネル２３を操作してＬＥＤランプ２０を作動させて、トレー１３を指定することで、客Ｃは、店員Ｖが認識したトレー１３が指示した商品４と一致するか否かの判断を行うことができる。
【００４０】
また、複数のトレー１３の前部には、トレー１３に陳列される商品４の情報を表示する値札１６が設けられ、値札１６にＬＥＤランプ２０が設けられていることで、値札１６は、各トレー１３に対応して設けられているため、客Ｃが指示したトレー１３の確認をＬＥＤランプ２０により行い易くなる。
【００４１】
また、複数のトレー１３の前部には、トレー１３に陳列される商品４の情報を表示する値札１６が設けられ、値札１６に近接センサ１９が設けられていることで、客Ｃは主に値札１６を指差すため、近接センサ１９を値札１６に設けることで、近接センサ１９が客Ｃの指を検出し易くなる。
【００４２】
また、液晶モニタ２１，２２は、ショーケース１の正面側及び背面側の少なくとも２箇所に設けられていることで、ショーケース１の正面側に居る客Ｃと背面側にいる店員Ｖとが、互いに指示された商品４の確認を行い易くなる。
【実施例２】
【００４３】
次に、実施例２に係る販売システムにつき、図７、図８、図９を参照して説明する。尚、前記実施例に示される構成部分と同一構成部分に付いては同一符号を付して重複する説明を省略する。図７は、実施例２におけるショーケースの全体像を示す斜視図であり、図８は、ショーケースの構成を示すブロック図であり、図９は、ショーケースで行うＬＥＤランプの点灯処理を示すフローチャートである。
【００４４】
図７及び図８に示すように、実施例２におけるショーケース２６の仕切板１７の正面には、実施例２における検出手段としての仕切板センサ２７が複数取り付けられている。この仕切板センサ２７は、透過性を有するタッチパネルであり、各商品４が載置されたトレー１３のそれぞれに対応して配置されている。尚、実施例２における値札１６には、実施例１とは異なり近接センサが無い構成となっている。
【００４５】
また、仕切板１７における仕切板センサ２７の周囲には、枠が画かれており、更に、仕切板センサ２７の下部（枠の下部）には、「ここに触れてください」等の客Ｃに対して接触を促す文章が表示されている。この一文によって、客Ｃは、手指を仕切板センサ２７に接触させるように誘導され、希望する商品４のトレー１３を店員Ｖに指定できるようになっている。
【００４６】
図８に示すように、各仕切板センサ２７とＬＥＤランプ２０は、制御回路２４に接続されるとともに、液晶モニタ２１，２２も制御回路２４に接続されている。尚、実施例２では、仕切板センサ２７により客Ｃの手指を確実に検出できるため、実施例１とは異なり、店員Ｖが確認のためにＬＥＤランプ２０を点灯させるための液晶モニタ２２に取り付けられたタッチパネル２３（図４参照）が無い構成となっている。
【００４７】
次に、前述したショーケース２６において、制御回路２４が実行するＬＥＤランプ２０の点灯処理について、図９を参照して説明する。
【００４８】
先ず、Ｓｂ０１のステップにおいて、制御回路２４は、仕切板センサ２７で客Ｃの指が検出されたか否かを判定する。具体的には、客Ｃが店員Ｖに対して希望する商品４を指定するために、各仕切板センサ２７のいずれかに接触したか否かを判定する。そして、仕切板センサ２７で客Ｃの指が検出されればＳｂ０２のステップに進み、いずれの仕切板センサ２７でも客Ｃの指が検出されなければ処理を終了し、Ｓｂ０１のステップに戻る。
【００４９】
Ｓｂ０２のステップにおいて、制御回路２４は、Ｓｂ０１での客Ｃの指が検出されたことを検出結果として液晶モニタ２１，２２に表示するために、客Ｃの指を検出した仕切板センサ２７に対応する商品４の値札１６のＬＥＤランプ２０を点灯させる。尚、このとき点灯されたＬＥＤランプ２０は、所定時間が経過すると自動的に消灯するようになっている。この消灯時間は適宜設定可能であるが、本実施例においては、例えば、２〜３秒に設定している。
【００５０】
更に、Ｓｂ０３のステップにおいて、制御回路２４は、液晶モニタ２１，２２の表示画面２５において、客Ｃの指を検出した仕切板センサ２７に対応する商品名の区画２５ａを点灯（表示色の変更）させて処理を終了し、Ｓｂ０１のステップに戻る。このとき、客Ｃが仕切板センサ２７に指を接触させることでＬＥＤランプ２０が点灯するとともに、仕切板センサ２７に対応する商品名の区画２５ａも点灯するので、客Ｃは希望する商品４と誤りがないか、２重に判断することができる。尚、液晶モニタ２１，２２の区画２５ａは、前述したＬＥＤランプ２０と同様に、所定時間が経過すると自動的に消灯（表示色の変更）するようになっている。
【００５１】
以上、実施例２における販売システムとしてのショーケース２６では、複数のトレー１３に対応して設けられた複数のＬＥＤランプ２０と、仕切板センサ２７による検出結果に基づいて、客Ｃの指が近接されたトレー１３に対応したＬＥＤランプ２０を作動させるための制御回路２４と、をさらに備えることで、客ＣがＬＥＤランプ２０の作動を確認することで、客Ｃは、希望する商品４のトレー１３が正しく指定されたか否かの判断を行うことができる。
【００５２】
また、複数のトレー１３の前方側が透過性を有する仕切板１７により仕切られており、仕切板センサ２７が仕切板１７に接触した客Ｃの指を検出するようになっていることで、仕切板センサ２７が客Ｃの指の検出を確実に行えるようになり、かつ仕切板１７により客Ｃの指が直接商品４に触れないように商品４を保護することができる。
【００５３】
以上、本発明の実施例を図面により説明してきたが、具体的な構成はこれら実施例に限られるものではなく、本発明の要旨を逸脱しない範囲における変更や追加があっても本発明に含まれる。
【００５４】
例えば、前記実施例では、ショーケース１をスーパーマーケットやデパート等の食品を扱う店舗において食肉を商品４として陳列して使用したが、ショーケース１で陳列する商品４は食品に限定されず、宝石や時計等の物品であってもよい。
【００５５】
また、前記実施例では、値札１６に近接センサ１９及び仕切板１７に仕切板センサ２７を設けているが、これらの検出手段１９，２７は、ショーケース本体２に設けられている必要はなく、客Ｃがいずれの商品陳列部を指差したのかを判別できれば、ショーケース本体２以外の箇所に取り付けられたセンサやカメラ等を検出手段として用いてもよい。
【００５６】
また、前記実施例１では、近接センサ１９が客Ｃの手指を検出して、店員Ｖが液晶モニタ２２のタッチパネル２３を操作した後に、ＬＥＤランプ２０が点灯するようになっているが、近接センサ１９が客Ｃの手指を検出したときにＬＥＤランプ２０を点灯させ、店員Ｖが液晶モニタ２２のタッチパネル２３を操作したときには、ＬＥＤランプ２０を点灯から点滅に切り換えるようにしてもよい。
【００５７】
また、前記実施例２では、客Ｃの指が仕切板センサ２７に接触することにより、各仕切板センサ２７に対応したＬＥＤランプ２０及び液晶モニタ２１，２２の表示画面２５の区画２５ａを点灯させたが、誤った商品４のトレー１３が指定された場合には、再び仕切板センサ２７に客Ｃの指が接触することにより、点灯させたＬＥＤランプ２０及び液晶モニタ２１，２２の表示画面２５の区画２５ａを消灯するようにしてもよい。
【図面の簡単な説明】
【００５８】
【図１】実施例１におけるショーケースの全体像を示す斜視図である。
【図２】ショーケースの内部構造を示す縦断側面図である。
【図３】値札を示す正面図である。
【図４】ショーケースの構成を示すブロック図である。
【図５】ショーケースで行うＬＥＤランプ及び液晶モニタの区画の点灯処理を示すフローチャートである。
【図６】液晶モニタの表示画面を示す正面図である。
【図７】実施例２におけるショーケースの全体像を示す斜視図である。
【図８】ショーケースの構成を示すブロック図である。
【図９】ショーケースで行うＬＥＤランプの点灯処理を示すフローチャートである。
【符号の説明】
【００５９】
１                ショーケース（販売システム）
２                ショーケース本体
３                操作端末
４                商品
１２              棚板
１３              トレー（商品陳列部）
１６              値札（商品情報表示部）
１７              仕切板
１９              近接センサ（検出手段）
２０              ＬＥＤランプ（陳列部表示手段）
２１，２２        液晶モニタ（検出結果表示手段）
２３              タッチパネル（操作手段）
２４              制御回路（制御手段）
２５              表示画面
２５ａ            区画
２６              ショーケース
２７              仕切板センサ（検出手段）
【図１】
0005269434.tif 000002
【図２】
0005269434.tif 000003
【図３】
0005269434.tif 000004
【図４】
0005269434.tif 000005
【図５】
0005269434.tif 000006
【図６】
0005269434.tif 000007
【図７】
0005269434.tif 000008
【図８】
0005269434.tif 000009
【図９】
0005269434.tif 000010